(57)【特許請求の範囲】
【請求項１】
建物の開口部の上部に前方へ張り出して設けられた庇本体と、この庇本体に前後進自在に組み付けられ、前進したときに前記庇本体から突出して庇面積を大きくする可動体と、この可動体に対して垂下自在となった日除け部材と、前記庇本体に対する前記可動体の移動及び前記庇本体に対して前記可動体が前進限に停止しているときにおけるこの可動体に対する前記日除け部材の上下方向の移動を行わせるための駆動源と、前記可動体に下向きに開口して形成され、前記可動体から垂下している前記日除け部材が前記駆動源からの駆動力により上昇することでこの日除け部材の先端の部材が嵌合する凹部と、を有して構成されていることを特徴とする庇。
【請求項２】
請求項１に記載の庇において、前記庇本体に対する前記可動体の前進はこの可動体の自重でなされ、この可動体に対する前記日除け部材の垂下はこの日除け部材の自重でなされ、前記駆動源はモーターであり、このモーターで回転する回転体で巻き取られ、繰り出されるワイヤーが前記日除け部材に連結され、このワイヤーの前記回転体による巻き取りによって前記可動体から垂下していた前記日除け部材の上昇及び前記前進限に達していた前記可動体の前記庇本体に対する後退がなされることを特徴とする庇。
【請求項３】
請求項１又は２に記載の庇において、前記日除け部材の先端の部材は横長のバーであり、このバーが前記日除け部材の上昇で嵌合する前記可動体の前記凹部は、この可動体の両側面に形成されていることを特徴とする庇。
【請求項４】
請求項１〜３のいずれかに記載の庇において、前記可動体が前記前進限に達したときにこれを検出して前記駆動源を停止させる検出器と、垂下していた前記日除け部材の上昇によりこの日除け部材の先端の部材が前記可動体の前記凹部に嵌合したときにこれを検出して前記駆動源を停止させる検出器と、前記駆動源の駆動を再開させるためのスイッチ装置と、を備えていることを特徴とする庇。
【発明の詳細な説明】
【０００１】
【発明の属する技術分野】
本発明は、住宅等の建物の開口部上部に設けられる庇に係り、庇代わりの建物用シャッターのシャッターボックスにも利用できるものである。
【０００２】
【背景技術】
建物の窓等の開口部の上部には庇が設けられ、この開口部に建物用シャッターが取り付けられる場合には、この建物用シャッターのシャッターボックスが庇代わりとされる。従来の庇およびシャッターボックスの左右長さは、開口部の左右長さと同じ程度となっており、また、前方への張り出し量は、建物の外観性や、シャッターカーテン巻き取り量等の建物用シャッターの機能に基づいて決められていた。
【０００３】
【発明が解決しようとする課題】
庇、および庇代わりの建物用シャッターのシャッターボックスは、本来、雨が室内に侵入するのを防止する他に、開口部から室内に入る日差しの量を適正とするためのものであり、上記左右長さや前方への張り出し量となった従来の庇およびシャッターボックスによると、西日が室内に入ってしまったり、夏季における高い高度の太陽からの光が室内に入るのを阻止できなかったりし、必ずしも良好な日陰状況を得られるものとはなっていなかった。
【０００４】
本発明の目的は、開口部から室内に入る日差しの量を適正にできる庇を提供するところにある。
【０００５】
【課題を解決するための手段】
本発明に係る庇は、建物の開口部の上部に前方へ張り出して設けられた庇本体と、この庇本体に前後進自在に組み付けられ、前進したときに庇本体から突出して庇面積を大きくする可動体とを備えていることを特徴とするものである。
【０００６】
この庇によると、可動体を前進させて庇本体から突出させることにより、夏季における高い高度の太陽からの光が開口部を通して室内に入るのを遮断でき、また、冬季に可動体を後退させて庇面積を小さくすることにより、低い高度の太陽からの光が開口部から室内に入るようになる。
【０００７】
ここで、庇本体に対する可動体の前後進の方向とは、庇本体の張り出し方向と平行な方向でもよく、また、この張り出し方向に対して直角の方向、言い換えると開口部の左右の方向でもよい。
【０００８】
庇本体に可動体を前後進自在に組み付けるためには、中空とした庇本体の内部に可動体を進退自在に収納配置してもよく、また、庇本体の外側に可動体を被せて可動体を進退自在としてもよい。
【０００９】
庇本体に対して可動体を前後進させるためには、モーター等の駆動源からの駆動力を可動体に伝達して可動体を自動移動させる構造としてもよく、あるいは、ハンドル等の手動装置で可動体を人力移動させる構造としてもよい。
【００１０】
また、可動体に対して垂下自在となった布やすだれ等による日除け部材を設けてもよい。このような日除け部材を設けておくと、例えば、夏季等における朝夕の低い高度の日差しが開口部に入射するのを阻止できる。また、雨天時に開口部外側に干した洗濯物が濡れるのを日除け部材によって防止することもできるようになる。
【００１１】
この日除け部材は、可動体が前進限まで達しているときに可動体から上下動可能となって垂下するようになっていてもよく、また、可動体が前進限と後退限の両方に達しているときに上下動可能となって垂下するようになっていてもよい。後者のようになっていると、可動体と日除け部材との組み合わせ使用可能方法が多数になり、その庇が設けられた開口部の方角や天候等に応じて可動体と日除け部材の使用方法を建物居住者等が工夫できるようになる。
【００１２】
日除け部材を可動体から上下動させるためには、モーター等を使用した自動装置式の構造としてもよく、あるいは、手動式の構造としてもよい。
【００１３】
庇本体に対する可動体の前後進と、可動体からの日除け部材の上下動とを自動装置式とし、かつ、可動体が前進限に達しているときに日除け部材が上下動するようにした場合には、可動体の前後進と日除け部材の上下動の両方を１個のモーター等の駆動源で行わせる構造にすることができる。
【００１４】
以上のほか、庇の下面は後端から先端まで同一高さになったフラット面でもよく、また、後端の高さが低くて先端の高さが高い段状になっていてもよい。後者のようになっていると、冬季のように高度が低くなっている場合における太陽からの日差しを庇の先端で阻止されず（但し、この庇に前記可動体が設けられている場合には、可動体を庇本体内に収納させているとする。）に開口部に入射させることができる。
【００１５】
庇の下面がこのように段状になっていて、庇に前記可動体と前記日除け部材とが設けられていると、季節および庇が設けられた開口部の方角等に応じて、室内に入る日差しの状況を建物居住者等の好みに合った多様のものに選択できるようになる。
【００１６】
一般に、庇の左右長さを開口部の左右長さよりも長くしておくと、室内に入る西日等の日差しの量を低減できる。
【００１７】
また、建物の開口部の上部に前方へ張り出して設けられた庇の左右長さが開口部の左右長さよりも長く、夏至において南を中心にした東西方向へ各４５度における太陽高度がα度、開口部の下端から庇下面までの高さ寸法がＨ、開口部の左右各端部から庇左右各端部までの長さがＬ、前方への庇張り出し量がＡであるとき、ＬとＡのそれぞれをＨｔａｎ（９０−α）と等しいか、これよりも大きなものにしておくと、太陽光線の強い時期に日中の長い時間に亘って日差しが室内に入るのを防止できる。
【００１８】
このような寸法を有している庇は、南向きまたは概ね南向きの開口部に設けられている庇について有効である。しかし、東向きまたは概ね東向きや、西向きまたは概ね西向きの開口部に設けられている庇については、庇の左右長さを開口部よりも南側に大きく延ばすことにより、日中の日差しがこれらの開口部から室内に入射するのを防ぐことができる。また、東向きまたは概ね東向きや、西向きまたは概ね西向きの開口部に設けられている庇に着脱自在な日除け部材を設け、この日除け部材で開口部前方を遮蔽することにより、夏至において日の出、日の入りの太陽からの光が室内に入射するのを防止できる。
【００１９】
これらの庇は、前述した庇本体と可動体と日除け部材とを備えた庇でもよく、これとは別の庇でもよい。
【００２０】
また、庇を可動体を備えたものとする場合、この可動体の個数を前方へ突出する１個のみとしてもよく、左右の各方向へ突出する２個としてもよく、前方へ突出する１個と左右の各方向へ突出する２個との合計３個としてもよく、さらには、左右のいずれかの方向に突出する１個としてもよく、前方へ突出する１個と左右のいずれかの方向に突出する１個との合計２個としてもよい。庇を左右の少なくともいずれかの方向へ突出する可動体を備えたものとした場合には、左右長さが開口部よりも長い庇は、可動体を突出移動させることにより実現できるようになり、太陽の方角等との関係から庇の大きな左右長さが必要でないときには、可動体を後退させることにより、庇の左右長さを開口部とほぼ同じにできるため、良好な体裁にすることができる。可動体の個数を複数個とした場合には、これらの可動体は同時移動するものとしてもよく、個別移動するものとしてもよい。
【００２１】
庇に以上のうちのどのような可動体を設けるかは、その庇が設けられる開口部の方角等に応じて決めてもよく、また、建物の開口部に設ける全部または一部の庇を、開口部の方角等とは関係なく、前方へ突出する１個の可動体と左右の各方向へ突出する２個の可動体とを備えたものとし、建物の居住者または使用者が前進、後退させる可動体を選択することにより、好みの日陰状況、陽当たり状況を得られるようにしてもよい。
【００２２】
また、以上述べた庇は、建物に設けられる通常の庇でもよく、また、庇代わりの建物用シャッターのシャッターボックスでもよい。
【００２３】
【発明の実施の形態】
以下に本発明に係る実施形態を説明する。図１は、庇１が設けられた建物の南向きまたは概ね南向きの壁面２部分の斜視図であり、開口部３の上部に前方へ張り出して取り付けられた庇１は、本実施形態では、庇代わりとなった建物用シャッター４のシャッターボックスである。以下の説明では、このシャッターボックスを庇１と呼ぶ。庇１は、建物に後面が固定された庇本体５と、この庇本体５の内部に前後進自在に組み込まれ、前進したときに庇本体５から前方へ突出して庇張り出し量すなわり庇面積を大きくすることになる可動体６とを含んで構成されている。
【００２４】
図２に示すように、庇本体５の内部は仕切り板７で上下の室に区画され、下室には建物用シャッター４のシャッターカーテン８の巻き取り部９が配置されている。このシャッターカーテン８は、図１に示すように、開口部３の左右に上下に延設されたガイドレール１０に案内されて上下動し、開口部３の前面を開閉する。庇本体５の内部の上室には、図２に示す通り中空の扁平箱型となっている可動体６が組み込まれ、この可動体６の内部下側に配置されたローラ１１が仕切り板７の上面に、内部上側に配置されたローラ１２が庇本体５の上面板１３の下面にそれぞれ接触して可動体６は前後進するようになっており、図５に示す通り、可動体６には仕切り板７の直線状の凹部７Ａに摩擦軽減部材１４を介して嵌合する凸部６Ａが設けられているため、可動体６の前後進は、これらの凹部７Ａと凸部６Ａによる左右方向の位置規制がなされながら行われる。
【００２５】
図３に示すように、可動体６の後端にはストッパー１５が設けられ、このストッパー１５は、図７で示された軸１６を中心にばね１７で仕切り板７に当接する側へ軽く回動付勢されており、仕切り板７上の可動体６の走行は、ストッパー１５の先端のフック部１５Ａが仕切り板７の上面に接触しながら行われるようになっている。可動体６の前進走行が一定距離に達すると、仕切り板７には孔１８が形成されているため、フック部１５Ａがこの孔１８に嵌入して係止状態となり、可動体６のそれ以上の走行を阻止するようになっている。このとき、可動体６は前進限に達している。この状態で可動体６に後退力が作用したときには、フック部１５Ａの下面は湾曲状になっているため、ストッパー１５はばね１７の付勢力に抗する方向に回動してフック部１５Ａが孔１８から脱出し、可動体６は後退走行できる。
【００２６】
ストッパー１５には、可動体６に取り付けられたリミットスイッチ１９を作動させるドグ２０が一体に取り付けられ、フック部１５Ａが孔１８に嵌入してストッパー１５が軸１６を中心に回動したとき、すなわち可動体６が前進限に達したとき、ドグ２０がリミットスイッチ１９から離れてこのスイッチ１９がオフするようになっている。
【００２７】
図２に示すように、庇本体５の前記上室の後部にはモーター２１が配置され、このモーター２１は例えば直流トルクモーターで、正逆回転可能である。図４に示す通り、モーター２１にはベルト２２を介してプーリー２３が接続され、このプーリー２３は、庇本体５に横架された軸２４に回転自在に嵌合されかつ連結筒２５で互いに連結されている左右２個の回転体２６に結合されており、これらの連結筒２５と回転体２６はモーター２１の駆動力で回転する。それぞれの回転体２６には可動体６の前進方向に延びるワイヤー２７の後端が止着され、これらのワイヤー２７は前記ローラー１２の端部に形成されたガイド部１２Ａに案内されて可動体６の内部に延び、その先端には図１１で示す日除け部材２８が横長の連結部材２９を介して連結されている。
【００２８】
日除け部材２８の先端には横長のバー３０が取り付けられ、図１０に示すように、このバー３０は、可動体６に設けられたガイドローラー３１から日除け部材２８が下側に方向が転換されているため、下向きとなっており、前記回転体２６にワイヤー２７が巻き取られて日除け部材２８の全部が可動体６の内部に収納されているとき、バー３０は、可動体６の両側面に下向きに開口して形成された凹部３２に嵌合するようになっている。また、可動体６の全部が庇本体５の内部に収納されているとき、凹部３２から横方向に突出したバー３０の端部は、庇本体５の両側面に前向きに開口して形成された凹部３３に嵌合するようになっている。
【００２９】
図１０で示す通り、可動体６の内部先端にはレバー３４が組み込まれ、ばね３５で付勢されながら軸３６を中心に回動自在となっているこのレバー３４は、バー３０によってリミットスイッチ３７をオン、オフさせるためのものであり、バー３０が凹部３２に嵌合しているときは、リミットスイッチ３７はオフとなり、バー３０が凹部３２から脱出すると、リミットスイッチ３７はオンとなる。
【００３０】
図４で示された左右２個の回転体２６を連結している連結筒２５の外周には、それぞれの回転体２６に近接して２個の回転カム３８が回転自在に設けられている。この回転カム３８は図８、図９で示され、回転カム３８は連結筒２５上に図９の２個のリング部材３９で軸方向の位置が規制されて配置されている。図８に示すように、回転カム３８の配置位置と対応する連結筒２５の外周面箇所には円周方向に複数の溝４０が形成され、それぞれの溝４０にニードル４１が挿入されている。本実施形態では図９に示すように、それぞれの溝４０は分割部材４２で軸方向に二分割され、それぞれの分割溝にニードル４１が挿入されている。
【００３１】
溝４０の深さは図８のＡ方向に次第に浅くなっているため、連結筒２５がＢ方向に回転したとき、連結筒２５に対して相対的にＡ方向に移動するニードル４１を介して連結筒２５と回転カム３８が接続され、連結筒２５と一体に回転カム３８は回転する。一方、連結筒２５がＡ方向に回転したときには、ニードル４１を介した連結筒２５と回転カム３８との接続は解除され、回転カム３８は自由状態となって連結筒２５のみが回転する。このときには、回転カム３８の円周方向一部には突起３８Ａが形成されていて回転カム３８の重心はこの突起３８Ａ寄りの位置にあるため、回転カム３８は突起３８Ａが下側の位置になるまで自由回転し、その位置で停止することになる。
【００３２】
以上のことから、溝４０とニードル４１により、連結筒２５のＢ方向の回転のみを回転カム３８に伝達する一方向クラッチが形成されていることになる。
【００３３】
図６に示す通り、回転カム３８の近くには、上端が軸４３を中心に揺動自在に庇本体５に取り付けられたレバー４４が配置され、このレバー４４には、ばね４５で常に回転カム３８に当接しているカムフォロア４６が設けられている。レバー４４の下端にはリンク４７を介してフック４８が連結され、軸４９を中心に回動するこのフック４８の先端の係合部４８Ａは、カムフォロア４６が回転カム３８の突起３８Ａ以外の箇所に当接し、かつ、可動体６全体が庇本体５の内部に収納されているときに、可動体６の後端６Ｂに係合するようになっており、これにより、可動体６が前方下側へ傾斜している前記仕切り板７上を自重で前進走行するのを阻止できるようになっている。
【００３４】
次ぎに作用について説明する。可動体６全体が庇本体５の内部に収納されている初期状態では、図６のフック４８の係合部４８Ａが可動体６の後端６Ｂに係合しているとともに、図１０の日除け部材２８の先端のバー３０は可動体６の凹部３２と庇本体５の凹部３３とに嵌合している。図示しないスイッチ装置で図４等で示されたモーター２１を正回転させると、この回転はベルト２２等を介して連結筒２５と回転体２６に伝達され、連結筒２５は図８のＢ方向に回転するため、ニードル４１を介して回転カム３８も回転し、この結果、回転カム３８の突起３８Ａで図６のカムフォロア４６が押されてレバー４４は軸４３を中心に揺動する。これにより、リンク４７の押圧作用でフック４８が軸４９を中心に回動し、係合部４８Ａが可動体６の後端６Ｂから外れるとともに、リンク４７とフック４８との連結部５０が可動体６に設けられている受け部５１を押すため、この押圧力を受けることにより可動体６は、前記ローラー１１，１２等に摩擦抵抗力あっても前方下側へ傾斜している前記仕切り板７上を自重で前進走行し始めるようになる。
【００３５】
このときには、前記回転体２６もモーター２１で回転しているため、図２等で示された前記ワイヤー２７は回転体２６から繰り出され、このため、ワイヤー２７の繰り出し速度を対応した速度で可動体６は前進走行し、この走行距離が所定値に達すると、図７のストッパー１５のフック部１５Ａが孔１８に嵌入するため、庇本体５から突出して走行する可動体６の前進は停止する。このように庇本体５から突出した可動体６が前進限で停止したときには、軸１６を中心に回動したストッパー１５のドグ２０はリミットスイッチ１９をオフとするため、このスイッチ１９の信号でモーター２１の電気駆動回路が遮断されてモーター２１の正回転は停止する。
【００３６】
この後、前記スイッチ装置で再度モーター２１を正回転させると、回転体２６の回転でワイヤー２７はさらに繰り出され、このため、可動体６がストッパー１５で前進限に停止したまま、日除け部材２８はその先端に設けられているバー３０の重量によって可動体６から垂下し始めることになり、日除け部材２８が図３に示すように可動体６から所定長さ垂下すると、ワイヤー２７等の移動距離を検出している図示しないセンサーからの信号でモーター２１は停止する。
【００３７】
そして、前記スイッチ装置でモーター２１を逆回転させると、逆回転する回転体２６にワイヤー２７が巻き取られるため、日除け部材２８は上昇して可動体６の内部に収納され、バー３０が図１０で示した可動体６の凹部３２に入ると、レバー３４を介してリミットスイッチ３７がオフとなるため、このスイッチ３７の信号でモーター２１の逆回転は停止する。この後、前記スイッチ装置でさらにモーター２１を逆回転させると、回転体２６に巻き取られるワイヤー２７の引っ張り力で可動体６に後退力が生じ、この結果、前述したようにストッパー１５のフック部１５Ａが図７の孔１８から脱出して可動体６は後退走行を始める。
【００３８】
このときには、図８の連結筒２５はＡ方向に回転しているため、回転カム３８は突起３８Ａが下向きとなった位置まで自由回転して停止することになる。このため、レバー４４、リンク４７、フック４８は図６の実線で示された状態になっており、この状態のときに可動体６が後退走行してくるため、可動体６の後端６Ｂにフック４８の係合部４８Ａの傾斜面４８Ｂが乗り上げ、次いでばね４５の付勢力でこの後端６Ｂに係合部４８Ａが再び係合する。
【００３９】
後端６Ｂにフック４８の係合部４８Ａが係合する位置まで可動体６が後退してきたことが図示しないセンサーで検出されると、このセンサーからの信号でモーター２１の逆回転は停止し、このときには、日除け部材２８のバー３０は庇本体５の凹部３３に嵌合しているため、全部が前記初期状態に戻っていることになる。従って、可動体６を前進走行させる等の前記作動を繰り返すことができる。
【００４０】
以上説明したように本実施形態によると、可動体６を庇本体５から突出させずに庇張り出し量を小さくした状態と、可動体６を庇本体５から突出させて庇張り出し量を大きくするとともに、日除け部材２８を可動体６の内部に収納した状態と、庇張り出し量が大きい状態において日除け部材２８を可動体６から垂下させた状態とを作り出すことができる。
【００４１】
このため、庇１が南向きの開口部３に設けられている場合に、夏季の昼における高度の高い太陽からの光が開口部３を通して室内に入るのを遮断するためには、日除け部材２８を内部に収納させた可動体６を庇本体５から突出させればよい。また、開口部３が東向きまたは西向きに設けられていて、朝夕の低い高度からの日差しが室内に入射するのを遮断する場合には、可動体６から日除け部材２８を垂下させればよい。また、開口部３がどの方角に設けられていても、雨天時に日除け部材２８を垂下させておくと、開口部３の前面に干した洗濯物が濡れるのを防止できる。また、冬季において可動体６を庇本体５内に収納しておくと、低い高度からの太陽からの光が開口部３を通して室内に入射するようになり、可動体６を庇本体５から突出させると、冬季において室内に入る日差しの量を制限できる。
【００４２】
このため、庇１が設けられる開口部３の方角、天候、さらには建物居住者の日差しに関する好み等に応じられる種々の庇１の状況を得られ、多様な状況に応じられる。
【００４３】
また、本実施形態では図２に示されているように、庇本体５の下面の後端５Ａの高さよりも先端５Ｂの高さは高くなっていて、庇本体５の下面は段状になっているため、冬季において、可動体６を庇本体５内に収納しておくと、先端５Ｂが後端５Ａと同じ高さ位置５Ｂ’になっている場合よりも、開口部３を通して室内に入る日差しの量を多くできる。
【００４４】
また、図１で示されているように、庇本体５および可動体６の左右長さは開口部３の左右長さよりも長くなっているため、開口部３に入射する西日の量を制限できる。
【００４５】
以上に加えて、本実施形態では、可動体６の前後進と日除け部材２８の上下動は、１個のモーター２１を駆動源として行われる構造になっているため、構造の簡単化が実現されている。
【００４６】
図１２〜図１６は、本発明の別実施形態に係る庇６１を示す。この庇６１は、前記実施形態と同じく建物用シャッターのシャッターボックスであって、開口部６３の左右にシャッターカーテンのガイドレール７０が設けられているが、この庇６１は通常の庇でもよい。
【００４７】
図１２に示すように、開口部６３の左右長さがＷ１であるとき、庇６１の左右長さをＷ１よりも大きいＷ２とすることにより、開口部６３の左右各端部から庇６１の左右各端部までの長さをＬとする。また図１３に示すように、開口部６３の下端から庇６１の先端下面までの高さ寸法がＨであるとき（図面では、開口部６３の上端と庇６１の水平な下面とが同じ高さになっているが、庇６１の下面が開口部６３の上端よりも高い位置にある場合を含む。）、庇６１の前方への張り出し量をＡとする。
【００４８】
開口部６３が南向きに設けられ、したがって庇６１も南向きとなっているときに（図１５参照）、夏至において南を中心にした東西方向へ各４５度における太陽高度がα度である場合に、ＬとＡをＨｔａｎ（９０−α）と同じか、これよりも大きくする（図１２、図１３参照）。
【００４９】
これによると、庇６１が通常の庇であって開口部６３の左右端部に壁から前方へ突出したシャッターレール７０が設けられていない場合であっても、太陽光線の強い時期において、日中の長い時間に亘り、太陽からの光が開口部６３を通って室内に入るのを庇６１で遮断することができ、良好な日陰状態を得られる。これと同様な効果は、庇６１が概ね南向きの開口部に設けられている場合にも得られる。
【００５０】
ちなみにαが７０度であるとき、Ｈｔａｎ（９０−α）は約０．３６Ｈである。また、夏至における太陽の南中高度は、北緯３５度の東京では７９度、北緯４３度の札幌では７６度、北緯３１度の鹿児島では８３度である。
【００５１】
図１５には東向きの庇７１と西向きの庇８１が示され、また、夏至における日の出から日の入りまでの太陽運行角度βと、冬至における日の出から日の入りまでの太陽運行角度γが示されている。
【００５２】
日本のほとんどの地域において、夏至における日の出の方角と日の入りの方角は、東、西の方角から北の方向に４５度以内の角度になっている。このため、開口部に対する庇７１と８１の左右寸法、張り出し量を前述した庇６１と同じにした場合において、図１６に示すように庇７１，８１の先端に日除け部材１０８を垂下させておくことにより、東向きの開口部に夏至における日の出の太陽からの光が入射するのを防止できるとともに、西向きの開口部に夏至における日の入りの太陽からの光が入射するのを防止でき、したがって日差しの強い時期における日の出時、日の入り時における日差しが室内に入るのを阻止できる。日除け部材１０８は庇７１，８１に着脱自在に取り付け可能とし、建物居住者の日差しに関する好みに応じられるようにしておくことが望ましい。
【００５３】
以上のことから、前述のようにＬとＡがＨｔａｎ（９０−α）と同じか、これよりもおおきくなっている庇は、南向きや概ね南向きとなった開口部だけではなく、これ以外の方角に向いている開口部に設けられても、開口部から室内に入る日差しの量を適正化できることになる。
【００５４】
なお、図１２〜図１６で示した庇６１，７１，８１を図１〜図１１で示した庇１と同様な構造、作用のものにしてもよい。すなわち、図１３、図１４のＡを、庇６１，７１，８１の庇本体からの可動体の突出量で得るようにし、図１６の日除け部材１０８を、庇７１，８１の庇本体から突出した可動体から垂下させるようにしてもよい。
【００５５】
【発明の効果】
本発明によると、建物の開口部から室内に入る日差しの量を適正にできるという効果を得られる。
【図面の簡単な説明】
【図１】開口部、および建物用シャッターのシャッターボックスによる庇が設けられた建物の壁部分を示す斜視図である。
【図２】図１の庇の一部破断の側面図である。
【図３】図１の庇の本体から可動体が突出した状態を示す一部破断の側面図である。
【図４】図３におけるＩＶ矢視方向の図で、内部構造を示す断面図である。
【図５】図４におけるＶ−Ｖ線断面図である。
【図６】可動体が庇本体内に収納されているときの可動体の後端部を示す側断面図である。
【図７】可動体が庇本体から突出したときの可動体の後端部を示す側断面図である。
【図８】図６で示されている回転カム部分の一方向クラッチを示す側断面図である。
【図９】図８におけるＩＸ−ＩＸ線断面図である。
【図１０】庇本体の先端部と可動体の先端部と示す側面図である。
【図１１】日除け部材の移動機構を示す概略平面図である。
【図１２】図１〜図１１で示された庇とは別実施形態に係る庇を示す正面図である。
【図１３】図１２の側断面図である。
【図１４】図１２の平断面図である。
【図１５】建物に設けられている各庇の方角を示す平面図である。
【図１６】図１５の東向き、西向きの庇から日除け部材を垂下させた状態を示す側断面図である。
【符号の説明】
１，６１，７１，８１  庇
３，６３  開口部
５  庇本体
６  可動体
２１  モーター
２７  ワイヤー
２８，１０８  日除け部材
【図１】
0003544099.tif 000002
【図２】
0003544099.tif 000003
【図３】
0003544099.tif 000004
【図４】
0003544099.tif 000005
【図５】
0003544099.tif 000006
【図６】
0003544099.tif 000007
【図７】
0003544099.tif 000008
【図８】
0003544099.tif 000009
【図９】
0003544099.tif 000010
【図１０】
0003544099.tif 000011
【図１１】
0003544099.tif 000012
【図１２】
0003544099.tif 000013
【図１３】
0003544099.tif 000014
【図１４】
0003544099.tif 000015
【図１５】
0003544099.tif 000016
【図１６】
0003544099.tif 000017